(57)【要約】【課題】本発明では、搭載する洗面化粧台の間口寸法に関係なく設置可能な台輪を提供することを目的とする。さらには、耐水性がよく、また高さ調整容易な台輪を提供することを目的とする。【解決手段】上記目的を達成するために本発明では、洗面化粧台と床面の間に設置される台輪において、該台輪が少なくとも上部に洗面化粧台の側板を挿着する凹溝を有し、前記洗面化粧台の左右の側板にそれぞれ独立して取付けられる構成とした。また、台輪の凹溝の底面から前記台輪の底面にかけて少なくとも１つ以上貫通穴を開け、水が侵入してもすぐさま貫通穴から排出される構成とした。また、凹溝底面部に調整ねじを上向きに取り付け、台輪側面の開口部から調整ねじ側面を露出させる構成とした。【選択図】　図１
2004081530.tif 000002
【特許請求の範囲】
【請求項１】
洗面化粧台と床面の間に設置される台輪において、
該台輪が少なくとも上部に洗面化粧台の側板を挿着する凹溝を有し、前記洗面化粧台の左右の側板にそれぞれ独立して取付けられることを特徴とする台輪。
【請求項２】
前記凹溝の内側面部に所定の間隔を開けて凸部を設けたことを特徴とする請求項１に記載の台輪。
【請求項３】
前記台輪の凹溝の底面から前記台輪の底面にかけて少なくとも１つ以上貫通穴をあけたことを特徴とする請求項１または２に記載の台輪。
【請求項４】
前記凹溝底面部に調整ねじを上向きに取り付け、台輪側面の開口部から調整ねじ側面を露出させたことを特徴とする請求項１から３のいずれかに記載の台輪。
【請求項５】
前記台輪の前方に前板を勘合する切欠きを設けたことを特徴とする請求項１から４のいずれかに記載の台輪。
【発明の詳細な説明】
【０００１】
【発明の属する技術分野】
本発明は洗面化粧台等のキャビネットに使用する台輪に関するものである。
【０００２】
【従来の技術】
従来の洗面化粧台等のキャビネットの高さを高くする台輪は図１０に示すように前板と後板及びそれらの両側端部に当接する一対の側板の少なくとも４つの部品で構成されているものが一般的である。
また、キャビネットの台輪への取り付け作業が簡単で作業性の良いものとして特開平５−２９３０２０、キャビネットへの寸法合せが容易なものとして特開平１０−９９１５１、また、台輪の耐水性を向上させるものとして特開平９−１００４９などがある。
【０００３】
【発明が解決しようとする課題】
上記従来の技術では主に台輪の左右一対の側板上面が搭載するキャビネットの側板下端に接して重量を支える構造である。
この方式では搭載するキャビネット側板と台輪側板との間に生じる段差が美観を損ねる恐れがあり、台輪の高い寸法精度と施工時に慎重な位置合せが必要である。
【０００４】
特開平５−２９３０２０の構造では慎重な位置合せが不要で台輪の取り付けは簡単になるが、搭載するキャビネットの間口寸法に対応する専用の間口を有する台輪の品揃えが必要になる。
また、前板と後板及びそれらの両側端部に当接する一対の側板の他、四隅それぞれに配する４つの略Ｌ字状連結金具、さらに連結金具を取り付けるビスなどが必要であるため、部品点数が多くなってしまっている。
【０００５】
特開平１０−９９１５１の構造では搭載するキャビネットの間口寸法に関係なく設置できる台輪が開示されている。しかし台輪の形成手順において、木製の左右枠杆を切断し、前後枠杆を脚の頭部と共に左右枠杆にネジ止めする等、設置に手間がかかる。
また、伸縮自在な脚の高さを変更するために、床面に接したアジャスタボルトを回すと床を傷める可能性もある。
【０００６】
また、台輪を木質材料で構成している場合は、木質材料が吸水して膨張変形をおこす問題や吸水した木質材料付近にカビなどが繁殖する問題もある。
【０００７】
特開平９−１００４９では、硬質材の保持材で台輪の下面を覆い隠し、さらに軟質パッキンで保持部材を覆うので、耐水性が向上している。
しかし、保持材の固定はビス固定であり、キャビネットを一度寝かすか、ひっくり返すかしないと取りつけることができず手間がかかる。
また高さ調整用のアジャスターボルトは台輪の内側にあるため、設置後の高さ微調整が非常に困難である。
【０００８】
そこで、上記課題を解決するために本発明は、搭載する洗面化粧台の間口寸法に関係なく設置可能な台輪を提供することを目的とする。さらには、耐水性がよく、また高さ調整容易な台輪を提供することを目的とする。
【課題を解決するための手段】
【０００９】
上記目的を達成するために本発明では、洗面化粧台と床面の間に設置される台輪において、該台輪が少なくとも上部に洗面化粧台の側板を挿着する凹溝を有し、前記洗面化粧台の左右の側板にそれぞれ独立して取付けられることを特徴とし、前記凹溝に洗面化粧台の側板を差し入れて固定させることができる構造としている。
【００１０】
洗面化粧台の左右側板にそれぞれ別々に台輪を差込む構成としたので、洗面化粧台の間口寸法に関係なく、設置することが可能となる。
【００１１】
本発明の好ましい態様として、前記凹溝の内側面部に所定の間隔を開けて凸部を設けるようにする。
凹溝の内側面に凸部を設けることによって、洗面化粧台等のキャビネット側板を圧迫拘束することが可能となるため、堅牢に結合することが可能となる。
また、凸部は所定の間隔を空けて設けるので、キャビネットの側板を部分的に圧迫するようになり、少ない力でキャビネットの側板を台輪上部の凹溝に差し入れることが可能となる。
【００１２】
本発明の好ましい態様として、前記台輪の凹溝の底面から前記台輪の底面にかけて少なくとも１つ以上貫通穴をあける。
この貫通穴によって、台輪と洗面化粧台等のキャビネット側板との隙間から台輪凹溝内に水が侵入しても、すぐさま貫通穴から排出されるため、キャビネット側板下端が常時水に触れる状態に置かれることが無くなる。
したがって、水に弱い木質材料で構成されているキャビネットでも搭載することが可能となる。
【００１３】
本発明の好ましい態様として、前記凹溝底面部に調整ねじを上向きに取り付け、台輪側面の開口部から調整ねじ側面を露出させる。
調整ねじ側面を台輪から露出させるので、台輪をキャビネット側板下端に取付け洗面化粧台を所定の場所に設置した後でも、台輪側面に露出した調整ねじを回転させることで、簡単に高さの微調整を行うことが可能となり、洗面化粧台の高さの調整が容易にできる。
【００１４】
本発明の好ましい態様として、台輪の前方に前板を勘合する切欠きを設ける。
前板を設置する切欠きを設けているので、間口に合った前板を準備しておけば、簡単に台輪に前板を設置することが可能となる。
【００１５】
【発明の実施の形態】
以下、本発明の実施の形態の一例を説明するが、本発明に係る内容はこれに限定されるものではない。
【００１６】
図１は本発明の実施の形態の一例を示す図である。
洗面化粧台のかさあげ部材としての本発明の台輪１は１枚の板状をしており、少なくともその上面には洗面化粧台の側板が入る幅と、ガタツキ無く連結するのに十分な深さを有する凹溝２を有する。
この凹溝２は、台輪１の前側上面を残して設けると、例えば地震などの揺れがあった場合でも、洗面化粧台の滑り出しを防止できる。
また、台輪１の一方の側面前側には、キャビネットの蹴込板が嵌まる切り欠き４を設けておくとよい。この切り欠き４の幅を大きくすると蹴込板の位置が異なる種々のキャビネットに対応できる。
キャビネット側板支持面３はキャビネットを必要な高さだけ持ち上げる間隔で床面より上方に位置している。
【００１７】
図２は本発明による台輪と洗面化粧台との接続方法の一例を示す図である。
本発明の台輪１は図２のように洗面化粧台の側板６を前記凹溝に挿し入れることだけの簡単な方法で洗面化粧台を搭載することが可能となる。
左右の側板にそれぞれ別に挿着するので、洗面器間口寸法に関係なく設置することが可能である。
【００１８】
洗面化粧台の側板の左右にそれぞれ独立して別々に取り付けるため、搭載する洗面化粧台の片側を交互に持ち上げて装着することが可能であり、従来の台輪のように重い洗面化粧台を一旦完全に床から持ち上げることなく設置することができる。
【００１９】
図３は本発明による台輪が設置された状態を示す図である。
洗面化粧台キャビネット７の側面と台輪１の側面との間口方向の段差ａは、図３に示すように洗面化粧台キャビネット７の側面と洗面器８の側面との段差ｂよりも小さく設定しており、洗面化粧台が壁と接して設置される場合でも台輪側面と壁が干渉して、洗面器と壁の間に隙間が発生することがない。
【００２０】
図４は本発明の実施の形態の一例を示す図である。
図４では台輪１に設けられた凹溝内側面９に所定の間隔を開けて凸部１０を設けたものである。
凸部１０は凹溝ない側面９に所定の間隔を開けて両側に設けてあるが、片側だけでも良いし、また、両側の凸部１０の間隔が異なっていても構わない。
凸部１０の上下方向の長さは側板支持面３から上端まででも良いし、それ以下でも構わない。
また、凸部１０の先端形状はＲ形状とするのが望ましい。
【００２１】
図５は本発明による台輪と洗面化粧台との接続方式の一例を示す詳細図である。
本発明の台輪１は図５に示すように洗面化粧台５の側板下端を凹溝内側面の凸部で圧迫しているため、がたつくことがなく容易に外れることはない。
加えて、間隔をあけて部分的に圧迫しているので少ない力でキャビネットの側板を台輪上部の凹溝に差し入れることが可能となる。
【００２２】
図６は本発明の実施の形態の一例を示す図である。
台輪凹溝内部に侵入した水を排出するための貫通穴１１が台輪に設けられている。
この貫通穴１１はキャビネット側板支持面３より下方にある凹溝底面１２に開けるのが好ましい。また、凹溝底面１２とキャビネット側板支持面３の間隔は５ｍｍ以上、また貫通穴１０は直径５ｍｍ以上が好ましい。さらには、台輪の底面側に排水溝１３を設けるとよい。
このような構成により、万が一、台輪凹溝内に水が侵入しても台輪全体に水が広がることなく、前記貫通穴から即座に排出されるため、洗面化粧台の側板６の下端が常時水に接触する状態に置かれることがない。
さらに、本台輪１は洗面化粧台を支持するのに十分な剛性と耐水性を有するＰＰ、ＡＢＳなどの樹脂材料で形成されているため、例えば清掃などで床面に流れた水を洗面化粧台の側板が吸水することを防止する間隔を確保することができ、かつ台輪自体は吸水することが無い。
そのため、従来設置ができなかった床が濡れるような場所にも木質等材料からなる洗面化粧台を設置することが可能となる。
【００２３】
図７は本発明による台輪に付与する高さ微調整機構の一例を示す図である。
本発明による台輪には、高さ微調整機能を付与することも可能である。
図７に高さ微調整機構の一例を挙げる。
この微調整機構は、台輪本体に設けられた雌ねじ１４と寸切りボルト１５及び寸切りボルトを回転させるダイアル１６と洗面化粧台側板に接する台座１７からなる。
寸切りボルト１５の片方にはダイアル１６と共に回転可能な形状を付与している。
台座１７と寸切りボルト１５は独立していても、一体化していても良い。
ダイアル１６は台輪側面に設けられた開口部１８から露出している。
ダイアル１６の回転は寸切りボルト１５へ伝達され、寸切りボルト１５が上下することによって洗面化粧台の高さ微調整が可能となる。
この高さ微調整機構を付与することで、水を排水する水勾配がついているような床面に設置する場合でも洗面化粧台を歪みなく設置することが可能で、さらに本高さ調整機構は床面に接していないので床面を傷めることもない。
高さ微調整機構は台輪の前方及び後方に１ヵ所ずつ設置しても、また、前方、後方のどちらか一方に取り付けても効果を発揮する。
【００２４】
図８は本発明による台輪が設置された状態を示す図である。
本発明の実施の形態では左右側板にそれぞれ別に台輪１を取り付けて洗面化粧台を支持している。
このため、洗面化粧台の間口寸法に関係なく設置することが可能であるが、この場合には洗面化粧台蹴込板部分に空間があいてしまう。
隙間のない一体感を要望する場合は、図８に示すように左右の台輪を連結する前板１９を設置して隙間を隠しても良い。
【００２５】
図９は本発明での前板、後板の接続方法の一例を示す図である。
この前板は台輪の前方に設けられた切欠き部２０と図９（イ）に示すほぞ組で接合されている。
前板１９は平板形状としても良いが、図９に示すように両端に凹部を設けることで台輪１の切欠き部２０と勘合させやすくなり、また、接合金具などを使用することなく外れにくくすることができる。
【００２６】
さらに、図９（ロ）のように台輪後方に同じ方式により後板２１を取りつけることも可能である。
【００２７】
【発明の効果】
本発明よれば搭載する洗面化粧台の間口寸法に関係なく簡単に設置可能な台輪を提供することができる。
また、搭載する洗面化粧台等のキャビネット材料が吸水することによって引き起こされる課題も解決することが可能となる。
【図面の簡単な説明】
【図１】本発明の実施の形態の一例を示す図
【図２】本発明による台輪と洗面化粧台との接続方法の一例を示す図
【図３】本発明による台輪が設置された状態を示す図
【図４】本発明の実施の形態の一例を示す図
【図５】本発明による台輪と洗面化粧台との接続方式の一例を示す詳細図
【図６】本発明の実施の形態の一例を示す図
【図７】高さ微調整機機構の一例を示す図
【図８】本発明による台輪が設置された状態を示す図
【図９】本発明での前板、後板の接続方法の一例を示す図
【図１０】図従来の台輪構造を示す図
【図１１】従来の洗面化粧台と台輪の接合方法を示す詳細図
【符号の説明】
１：本発明による台輪、２：凹溝部、３：洗面化粧台側板支持面、
４：蹴込板が入る切込み部、５：洗面化粧台、６：側板、７：キャビネット、
８：洗面器、９：凹溝内側面、１０：凹溝ない側面に設けられた凸部、
１１：貫通孔、１２：凹溝底面、１３：排水溝、
１４台輪本体に設けられた雌ねじ部、１５：寸切りボルト、
１６：ダイヤル、１７：台座、１８：台輪側面の開口部、
１９：台輪前板、２０：台輪前面に設けられた切欠き部、２１：台輪後板、
２２：従来の台輪前板、２３従来の台輪側板、
２４：従来の台輪後板
【図１】
2004081530.tif 000003
【図２】
2004081530.tif 000004
【図３】
2004081530.tif 000005
【図４】
2004081530.tif 000006
【図５】
2004081530.tif 000007
【図６】
2004081530.tif 000008
【図７】
2004081530.tif 000009
【図８】
2004081530.tif 000010
【図９】
2004081530.tif 000011
【図１０】
2004081530.tif 000012
【図１１】
2004081530.tif 000013